(57)【要約】【課題】  適切なグレアを付加させることにより、視認性と快適性を両立させる照明方法および照明器具を提供する。【解決手段】鉛直面照度が例えば略１０  ｌｘの視対象が視線方向に存在することを認識するための照明方法であって、観測者１２より視対象１４を認識するときの観測者１２の視線方向から略10度の場所に光源１３を配置し、光源１３は、観測者１２から見た立体角が略1.0×lO-4（ｓｒ）であって、グレア輝度が１００ｃd／ｍ2以上で2000cd／ｍ2より小さくなるように光を放出させる。【選択図】        図４
2005135583.tif 000002
【特許請求の範囲】
【請求項１】
視対象が視線方向に存在することを認識するための照明方法であって、観測者より前記視対象を認識するときの前記観測者の視線方向から略10度およびその近傍の視角の場所に光放出部を配置し、前記光放出部は、前記観測者から見た立体角が略1.0×lO-4（ｓｒ）およびその近傍であって、グレア輝度が2000cd／ｍ2より小さい輝度を有する光を放出させることを特徴とする照明方法。
【請求項２】
請求項1記載の照明方法に適用する照明器具であって、光源と、この光源の光を所定の方向に放出させる光制御部材を備え、前記光制御部材は前記光放出部を構成する照明器具。
【請求項３】
前記照明器具は、道路灯として使用される請求項２記載の照明器具。
【発明の詳細な説明】
【技術分野】
【０００１】
本発明は、特に周囲が暗い場所において、例えば鉛直面照度が略１０  ｌｘ以下を含む低照度の、視対象に対して高い視認性が要求される、防犯灯、道路灯、トンネル灯などに適した照明方法およびその照明器具に関するものである。
【背景技術】
【０００２】
夜間に照明を行う現状の街路照明は4000〜20000cd／m2と高輝度であるが、グレア輝度が高くなるにつれ、視対象の視認性は低下する。
【０００３】
しかしながら、視対象の視認性を向上させるためにグレアが非常に低い照明空間を構築した場合、雰囲気が悪く、陰気感が漂い、快適ではないといった問題が生じる。
【特許文献１】特開２００３−１０９４０６
【発明の開示】
【発明が解決しようとする課題】
【０００４】
この発明の目的は、適切なグレアを付加させることにより、視認性と快適性を両立させることができる照明方法および照明器具を提供することである。
【課題を解決するための手段】
【０００５】
この発明の照明方法は、視対象が視線方向に存在することを認識するための照明方法であって、観測者より前記視対象を認識するときの前記観測者の視線方向から略10度およびその近傍の視角の場所に光放出部を配置し、前記光放出部は、前記観測者から見た立体角が略1.0×lO-4（ｓｒ）およびその近傍であって、グレア輝度が2000cd／ｍ2より小さい輝度を有する光を放出させることを特徴とするものである。
【０００６】
一般的にはグレアを発生させる光源の輝度が増加すると、眼球上に光幕が生じるため、対象物の視認性が低下すると考えられている。しかしながら、実験の結果、グレアを発生させる光源の輝度が増加しているにも関わらず、縮瞳の影響により視認性が低下せずに逆に向上する場合があることが示された。そこで、高視認性を与える最適グレア輝度領域が存在する条件を検討した。
【０００７】
実験設備および観測者が実験を行っている状況を図1に示す。実験は、図1に示すように4m先に様々な視標１を設置し、観測者２と視標１との間には視標１の表面照度を設定する照明器具（例えば４０Ｗ丸管−５０００Ｋ）と観測者２への入射角を自由に設定可能な光放出部であるグレア発生用光源（例えば３６Ｗツイン１−５０００Ｋ）４を設け、観測者２はあご台５に固定して視標１を観測し、視認性の評価を行った。
【０００８】
対象物の視認性評価の視標にはコントラスト感度を用いた。コントラスト感度はコントラストの逆数〔Ｌｍａｘを最大輝度、Ｌｍｉｎを最小輝度とすると、（Ｌｍａｘ＋Ｌｍｉｎ）／（Ｌｍａｘ−Ｌｍｉｎ）〕で表され、図２に示すようにコントラスト感度が高いものほど、よりコントラストの低い対象物を見分ける能力（分解能が高い）があることを示している。
【０００９】
実験条件は、対象物の鉛直面照度：１０  ｌｘ以下である0.5 lx、対象物の視角サイズ：2度（例えば観測距離4m，直径14cmの円視標）、観測者の進行方向とグレア光源とのなす視角（グレア入射角θ）:10度、グレア光源の見かけのサイズ（立体角）:1.0×10-4(sr)とした。またグレア輝度（cd／m2）：なし、1000，2000，4000の4通りとし、視標は21種類（平均反射率20％）、被験者は視覚正常者および矯正者であり、視覚実験の経験者である30代の男性であった。
【００１０】
実験は、以下の手順にて行った。（1）暗室内にて30分間暗順応を行う。（2）グレア輝度がない場合において、最も空間周波数（CPD）が小さく、かつコントラスト感度が低い視標条件を設定し、視標１を提示する。（3）視標１の縞が左右のどちら側に傾いているかを回答する。（4）正解・不正解に応じて、以下を実施する。正解の場合、同じCPDにて次にコントラスト感度が低い視標条件を設定し、（3）に戻る。不正解の場合、同じCPDにて一つ前のコントラスト感度が高い視標条件を設定し、（3）に戻る。
【００１１】
（5）正解が得られなくなった場合、もしくは同じCPDにてコントラスト感度が最も高い条件の評価が終わった場合、次にコントラスト感度が高いCPDの視標条件にて、（3）〜（4）を繰り返す。
【００１２】
（6）CPDが最も高い条件の評価が終わった場合、グレア輝度がある場合（1000，2000，4000cd／m2の順）にて（2）〜（5）を繰り返す。
【００１３】
上記の実験結果を図3に示す。このコントラスト感度は日常的な環境で現れる様々なサイズやコントラストについて視覚的機能を総合的に評価可能であり、小さな輝度対比でも識別可能である。低周波数は非常に大きな物体に対する感度を調べ、高周波数は非常に小さな物体に対する感度を調べる。
【００１４】
実験結果より、下記の傾向を示す結果が得られ、高視認性を与える最適グレア輝度領域の存在可能性は示唆された。すなわち、グレアがない場合と比較して、視認性が良くなるグレア輝度領域はOcd／m2以上、例えば１００cd／m2以上で2000cd／m2より小さい範囲に存在する。最も視認性が高くなるのは、グレア輝度が1000cd／m2付近に存在する。グレア輝度の下限値は、人がグレアを感じ始める値である。グレア輝度が2000cd／m2の場合、グレアがない場合とほぼ同等の視認性となる。グレア輝度が2000cd／m2以上の場合、グレア輝度の増加にともない視認性が低下する。
【００１５】
なお、観測者の進行方向とグレア光源とのなす視角は10度に限らずその近傍でもよく、また光放出部に対する立体角は1.0×10-4(sr)に限らずその近傍でもよい。
【００１６】
この発明の照明器具は、請求項1記載の照明方法に適用する照明器具であって、光源と、この光源の光を所定の方向に放出させる光制御部材を備え、前記光制御部材は前記光放出部を構成するものである。
【００１７】
上記構成において、前記照明器具は、道路灯として使用される。
【発明の効果】
【００１８】
本発明によれば、小サイズかつ低輝度の照明により、歩行者に不快な弦しさを与えることなく、歩行者の瞳孔を効果的に縮小させ、視対象の視認性を向上させることができ、視認性と快適性を両立させることが可能となる。
【発明を実施するための最良の形態】
【００１９】
この発明の第１の実施の形態を図４により説明する。車１０内において、フロントガラス１１上やその付近、もしくはドライバー１２の眼鏡に、視角１０度程度、立体角1.0×10-4(sr)程度、グレア輝度2000cd／m2以下という上記条件を満たす、グレア輝度を発生させる小異器具１５の光源１３を設ける。
【００２０】
この構成により、遠方の路上障害物、道路、車両などの視対象１４の視認性を向上でき、より安全に運転することができる。
【００２１】
この発明の第２の実施の形態を図５により説明する。観測者１２の下面方向かつ観測者１２の付近に上記条件を満たすグレア輝度を発生させる照明器具１５の光源１３を設ける。
【００２２】
これにより、近方に存在する視対象（本やディスプレイ）１４の視認性を向上させることができる。
【００２３】
この発明の第３の実施の形態を図６により説明する。すなわち、道路１７において、観測者１２の進行方向の遠方の上方向に照明器具（防犯灯）１５を設ける。すなわち、照明器具１５は、光源と、この光源の光を所定の方向に放出させる光制御部材１６を備え、光制御部材１６は上記条件を満たす光放出部を構成する。
【００２４】
夜間を歩行する際、観測者の進行方向の前方に存在する歩行者１８等の対象物の視認性が向上し、歩行者をより早く発見することが可能である。このことにより、従来のような高いグレアの防犯灯と比較して、より快適に歩行することができる。
【００２５】
この発明の第４の実施の形態を図７により説明する。第３の実施の形態において、観測者１２の進行方向とは逆の方向に歩行者１８の顔面の明るさを確保する別の照明器具１９を設ける。
【００２６】
これにより、第３の実施の形態の場合と比較して、グレアを付加することなく歩行者の顔面を明るくすることができるため、歩行者１８をより早く発見でき、防犯対策をさらに向上できる。
【００２７】
この発明の第５の実施の形態を図８により説明する。すなわち、照明器具１５の直下と観測者１２との距離が略4mの場合において、観測者１２の進行方向の上側に上記条件を満たす光制御部材１６を有する照明器具１５を設ける。
【００２８】
照明器具１５の直下に歩行者１８が存在する場合、歩行者１８の顔面照度が最も暗くなる。このことにより、第３の実施の形態よりも本設置方法のほうが道路上での歩行者の視認性が高くなり、より防犯対策を向上できる。
【００２９】
この発明の第６の実施の形態を図９により説明する。すなわ、第５の実施の形態において、観測者１２の進行方向とは逆の方向に歩行者１８の顔面の明るさを確保する別の照明器具１９を設ける。
【００３０】
これにより、第５の実施の形態の場合と比較して、グレアを付加することなく歩行者１８の顔面を明るくすることができるため、歩行者１８をより早く発見でき、防犯対策をさらに向上できる。
【００３１】
この発明の第７の実施の形態は第１から第６の実施の形態において、上記条件を満たす光源１３および光制御部材１６のグレア輝度が略1000cd／m2になるように設定するものである。
【００３２】
これにより、最も対象物の視認性が向上する。
【図面の簡単な説明】
【００３３】
【図１】実験状況を説明する側面図である。
【図２】評価指標の例を示し、（ａ）は高周波数でコントラスト大の例、（ｂ）は低周波数でコントラスト小の例を示す図である。
【図３】コントラスト感度測定結果を示し、横軸はＣＰＤ（空間周波数）、縦軸はコントラスト感度である。
【図４】この発明の第１の実施の形態の説明図である。
【図５】この発明の第２の実施の形態の説明図である。
【図６】この発明の第３の実施の形態の説明図である。
【図７】この発明の第４の実施の形態の説明図である。
【図８】この発明の第５の実施の形態の説明図である。
【図９】この発明の第６の実施の形態の説明図である。
【符号の説明】
【００３４】
１    視標
２    観測者
３    照明器具
４    光源
１０    車
１２    観測者
１３    光源
１４    視対象
１５    照明器具
１６    光制御部材
１８    歩行者
１９    別の照明器具
【図１】
2005135583.tif 000003
【図２】
2005135583.tif 000004
【図３】
2005135583.tif 000005
【図４】
2005135583.tif 000006
【図５】
2005135583.tif 000007
【図６】
2005135583.tif 000008
【図７】
2005135583.tif 000009
【図８】
2005135583.tif 000010
【図９】
2005135583.tif 000011